(57)【特許請求の範囲】
【請求項１】
ＭＢＭＳ情報が送信される前に、自セルから送信されるＭＢＭＳ情報の反復送信周期を確定し、
前記ＭＢＭＳ情報を搬送する隣接セルから送信される当該ＭＢＭＳ情報の反復送信周期を確定し、
前記自セルの標識と隣接セルの標識と確定された各セルから送信される当該ＭＢＭＳ情報の反復送信周期の情報を前記自セルの端末に送信する
という手順を含むことを特徴とする、ＭＢＭＳサービスに基づくリソース・スケジューリング情報の送信方法。
【請求項２】
前記反復送信周期の情報に反復周期の長さが含まれることを特徴とする請求項１記載の方法。
【請求項３】
前記反復送信周期の情報にシングル周期のオフセットも含まれることを特徴とする請求項２記載の方法。
【請求項４】
前記自セルの標識と隣接セルの標識と確定された各セルから送信されるＭＢＭＳ情報の反復送信周期の情報を自セルの端末に送信する時に、前記自セルの標識と隣接セルの標識と確定された各セルから送信される当該ＭＢＭＳ情報の反復送信周期の情報をリソース・スケジューリング・リストに追加し、前記自セルの端末に送信することを特徴とする請求項１記載の方法。
【請求項５】
端末が前記リソース・スケジューリング・リストを解析し、自セルと隣接セルから送信される前記ＭＢＭＳ情報の反復送信周期の情報と隣接セルの標識を取得し、解析して取得した自セルから送信されるＭＢＭＳ情報の反復送信周期の情報に基づき、自セルから送信される前記ＭＢＭＳ情報とチップ合成する時間帯を決め、
解析して取得した隣接セルの標識と当該隣接セルから送信される前記ＭＢＭＳ情報の反復送信周期の情報に基づき、確定された時間帯で自セルから送信される前記ＭＢＭＳ情報とチップ合成する隣接セルの標識を取得し、
取得された隣接セルの標識に対応する隣接セルから送信される前記ＭＢＭＳ情報を、確定された時間帯において、自セルから送信される当該ＭＢＭＳ情報とチップ合成する手順を含むことを特徴とする請求項４記載の方法。
【請求項６】
隣接セルの標識と隣接セルのから送信される当該ＭＢＭＳ情報の反復送信周期の情報をＭＢＭＳ隣接セルのポイント・ツー・マルチポイント無線ベアラ情報（Ｂｅａｒｅｒ  ｉｎｆｏｒｍａｔｉｏｎ）に追加することにより、自セルの端末に送信することを特徴とする請求項１記載の方法。
【請求項７】
ＭＢＭＳ情報を送信する前に、自セルから送信される前記ＭＢＭＳ情報の反復送信周期と、前記ＭＢＭＳ情報を搬送する隣接セルから送信される当該ＭＢＭＳ情報の反復送信周期を確定する確定モジュールと、
前記確定モジュールに接続され、前記自セルの標識と隣接セルの標識と確定モジュールで確定された各セルから送信される当該ＭＢＭＳ情報の反復送信周期の情報を自セルの端末に送信する送信モジュールと
を備えたことを特徴とするベースステーション・コントローラ。
【請求項８】
前記送信モジュールは、前記自セルの標識と前記隣接セルの標識と確定モジュールで確定された各セルから送信される当該ＭＢＭＳ情報の反復送信周期の情報をリソース・スケジューリング・リストに追加する追加ユニットと、前記リソース・スケジューリング・リストを前記自セルの端末に送信する送信ユニットを備えたことを特徴とする請求項７記載のベースステーション・コントローラ。
【請求項９】
ＭＢＭＳ情報を受信する前に、受信した自セルから送信される前記ＭＢＭＳ情報の反復送信周期の情報に基づき、自セルから送信される前記ＭＢＭＳ情報とチップ合成する時間帯を決め、
受信した隣接セルの標識と前記隣接セルから送信される当該ＭＢＭＳ情報の反復送信周期の情報に基づき、確定された時間帯で自セルから送信される前記ＭＢＭＳ情報とチップ合成する隣接セルの標識を取得し、
確定された時間帯で、取得した隣接セルの標識に対応する隣接セルから送信される前記ＭＢＭＳ情報を、自セルから送信される当該ＭＢＭＳ情報とチップ合成する
という手順を含むことを特徴とする、ＭＢＭＳサービスに基づくリソース・スケジューリング情報の受信方法。
【請求項１０】
受信した自セルから送信されるＭＢＭＳ情報の反復送信周期の情報と隣接セルの標識と隣接セルから送信される当該ＭＢＭＳ情報の反復送信周期の情報をリソース・スケジューリング・リストに追加することを特徴とする請求項９記載の方法。
【請求項１１】
受信したＭＢＭＳ隣接セルのポイント・ツー・マルチポイント無線ベアラ情報から、前記隣接セルの標識及び当該隣接セルから送信される前記ＭＢＭＳ情報の反復送信周期の情報を取得することを特徴とする請求項９記載の方法。
【請求項１２】
ＭＢＭＳ情報を受信する前に、自セルから送信されるＭＢＭＳ情報の反復送信周期の情報と隣接セルの標識及び当該隣接セルから送信されるＭＢＭＳ情報の反復送信周期の情報を受信する受信モジュールと、
前記受信モジュールで受信した自セルから送信されるＭＢＭＳ情報の反復送信周期の情報に基づき、自セルから送信される前記ＭＢＭＳとチップ合成する時間帯を決める確定モジュールと、
前記受信モジュールで受信した隣接セルの標識及び当該隣接セルから送信される前記ＭＢＭＳ情報の反復送信周期の情報に基づき、確定モジュールで確定された時間帯で、自セルから送信される前記ＭＢＭＳ情報とチップ合成する隣接セルの標識を取得するセル標識取得モジュールと、
前記確定モジュールで確定された時間帯で、セル標識取得モジュールで取得された隣接セルの標識に対応する、隣接セルから送信される前記ＭＢＭＳ情報を自セルから送信される当該ＭＢＭＳ情報とチップ合成するチップ合成モジュールと
を備えたことを特徴とする端末。
【請求項１３】
ＭＢＭＳ情報を送信する前に、自セルから送信される前記ＭＢＭＳ情報の反復送信周期を確定し、前記ＭＢＭＳ情報を搬送する隣接セルから送信される当該ＭＢＭＳ情報の反復送信周期を確定し、
前記自セルの標識と前記隣接セルの標識と確定された各セルから送信される当該ＭＢＭＳ情報の反復送信周期の情報を前記自セルにおける端末に送信し、
前記端末は前記ＭＢＭＳ情報を受信する前に、受信された自セルから送信される前記ＭＢＭＳ情報の反復送信周期の情報に基づき、自セルから送信される前記ＭＢＭＳ情報とチップ合成する時間帯を決め、
受信された隣接セルの標識と当該隣接セルから送信される前記ＭＢＭＳ情報の反復送信周期の情報に基づき、確定された時間帯で自セルから送信される前記ＭＢＭＳ情報とチップ合成する隣接セルの標識を取得し、
確定された時間帯において、取得した隣接セルの標識に対応する隣接セルから送信される前記ＭＢＭＳ情報を、自セルから送信される当該ＭＢＭＳ情報とチップ合成する
手順を含むことを特徴とする、ＭＢＭＳサービスに基づくリソース・スケジューリング方法。
【請求項１４】
ベースステーション・コントローラと端末を備えたことを特徴とするＭＢＭＳサービスに基づくリソース・スケジューリング・システムであって、
前記ベースステーション・コントローラは、
ＭＢＭＳ情報を送信する前に、自セルから送信される前記ＭＢＭＳ情報の反復送信周期と前記ＭＢＭＳ情報を搬送する隣接セルから送信される当該ＭＢＭＳ情報の反復送信周期を確定する確定モジュールと、
前記確定モジュールに接続され、前記自セルの標識と前記隣接セルの標識と確定モジュールで確定された各セルから送信される当該ＭＢＭＳ情報の反復送信周期の情報を、前記自セルの端末に送信する送信モジュールとを備え、
前記端末は、
ＭＢＭＳ情報を受信する前に、自セルから送信される前記ＭＢＭＳ情報の反復送信周期の情報と、隣接セルの標識及び当該隣接セルから送信される前記ＭＢＭＳ情報の反復送信周期の情報を受信する受信モジュールと、
受信モジュールで受信した自セルから送信されるＭＢＭＳ情報の反復送信周期の情報に基づき、自セルから送信される前記ＭＢＭＳとチップ合成する時間帯を決める確定モジュールと、
受信モジュールで受信した隣接セルの標識及び当該隣接セルから送信される前記ＭＢＭＳ情報の反復送信周期の情報に基づき、確定モジュールで確定された時間帯で、自セルから送信される前記ＭＢＭＳ情報とチップ合成する隣接セルの標識を取得するセル標識取得モジュールと、
確定モジュールで確定された時間帯で、セル標識取得モジュールで取得された隣接セルの標識に対応する隣接セルから送信される前記ＭＢＭＳ情報を自セルから送信される当該ＭＢＭＳ情報とチップ合成するチップ合成モジュールと、を備えたことを特徴とする、リソース・スケジューリング・システム。
【発明の詳細な説明】
【技術分野】
【０００１】
本発明はリソース・スケジューリング方法及びシステムに関わる。特に、ＭＢＭＳサービスに基づくリソース・スケジューリング方法とシステムに関し、また、ＭＢＭＳサービスに基づくリソース・スケジューリング情報の送受信方法とＭＢＭＳサービスリソース・スケジューリングに基づくベースステーション・コントローラと端末にも関する。
【背景技術】
【０００２】
ＭＢＳＦＮと略称するマルチメディア・ブロードキャスト／マルチキャスト・サービス・単一周波数ネットワーク（Ｍｕｌｔｉｍｅｄｉａ  Ｂｒｏａｄｃａｓｔ／Ｍｕｌｔｉｃａｓｔ  Ｓｅｒｖｉｃｅ  Ｓｉｎｇｌｅ  Ｆｒｅｑｕｅｎｃｙ  Ｎｅｔｗｏｒｋ）技術は強化されたＭＢＭＳ技術である。ＭＢＳＦＮモードにおいて、全ての隣接基地局は同じ無線信号を同期送信する。端末は各基地局からの信号をマルチパス信号と見なし、マルチパス信号に対して空中信号コンバイン（合成）を行い、信号の受信ゲインを向上させ、受信効果を改善させる。
【０００３】
しかし、ＵＴＲＡＮと略称する汎用地上無線接続網（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が、あるＭＢＭＳサービス、例えばあるテレビチャネルのために、ＭＢＳＦＮ方式を利用して送信する場合、当サービス専用のスクランブリングコードを配置する必要がある。そのスクランブリングコードは当該サービスに関連する。即ち、端末側での信号コンバインの正しさを確保するため、各セルから同様のテレビチャネル信号を送出する時に、同様のスクランブリングコードを採用しなければならない。そのため、ＵＴＲＡＮとして、サービス関連で且つ各セルで保有するスクランブリングコードと異なったスクランブリングコードを設計する必要がある。そうすると、通信キャリアに対して新しいネットワーク規範や最適化要求が提出され、設計難度とコストが増加してしまう。
【０００４】
従来、ＭＢＭＳサービスに対してはチップ合成を採用する。具体的には、異なるセルは端末に対し同じテレビチャネル信号を送信する時に、依然としてセル各自のスクランブリングコードを採用してそのテレビチャネル信号をスクランブリング化する。端末は各セルからのテレビチャネル信号を受信すると、スクランブリング化されたテレビチャネル信号の無線信号が異なるものの、ＵＥにてチップ合成方式、即ち、複数セルによる結合（ジョイント）検出の方法を採用するため、複数セルからのテレビチャネルに対し、チップレベルのコンバインを行い、信号の受信ゲインを向上させ、受信効果を改善させる。各隣接セルは一意の隣接セルの標識（識別子）を保有し、複数のＳ−ＣＣＰＣＨチャネルを含む。チップ合成が必要となるＭＢＭＳサービスが発生した場合、当該ＭＢＭＳサービスを搬送（伝送）する複数のＳ−ＣＣＰＣＨチャネルにチップ合成方式を指定する。端末はこれに関連するメッセージを受信後に、関心のあるＭＢＭＳサービスに対し、自セルと複数の当該サービスに対応できる隣接セル中で、当該ＭＢＭＳサービスを搬送しているＳ−ＣＣＰＣＨの設定情報を受信し、連続的なチップ合成を実行する。
【０００５】
当該技術において、同一ＭＢＭＳサービスを搬送するＳ−ＣＣＰＣＨのスケジューリングに対し、一旦、当該サービスを搬送する複数のセルが確定されると、その搬送方法が上述のメッセージに示され、次回のメッセージを送信するまで、上記セルの当該サービスの搬送方法を変化させてはいけない指示を上記メッセージに記入する。即ち、この期間内で、端末は自セルと隣接セルのＭＢＭＳサービスを搬送するＳ−ＣＣＰＣＨのスケジューリング情報により、隣接セルと連続的にチップ合成を行う。しかし、実際には、異なる隣接セルでは同一ＭＢＭＳサービスに対するリソース・スケジューリング要求が同じではなく、上記メッセージが次回送出されるまで、搬送要求が既に変化されることがある。例えば、百貨店のショッピング情報のサービスではし、百貨店内部（自セル）の前記ＭＢＭＳサービスのスケジューリング周期は非常に短くしても良い。店内の携帯ユーザは頻繁にショッピング情報を受信してもあまり抵抗感が感じないが、百貨店周辺のセル（隣接セル）に対しては、前記ＭＢＭＳサービスのスケジューリング周期は長くする必要がある。そうしないと、広告類のショッピング情報の頻繁受信は携帯ユーザに抵抗感を与えてしまう。
【０００６】
本発明を実施する際、発明者は従来技術の不足点を発見した。従来のチップ合成技術では、前回の制御情報を送出した時点から、次回の制御情報を送出するまでの期間内において、異なるセルは同一ＭＢＭＳサービスに対する搬送状態の一貫性を保つことを要求され、端末はそれらのセルに対して連続的なチップ合成を行う。しかし、隣接セルの（チップ合成に用いる）Ｓ−ＣＣＰＣＨを不連続的にスケジューリングするメカニズムを欠いており、同一ＭＢＭＳサービスが異なるセルにおいて、不連続的にスケジューリングされる状況には対応できない。
【発明の開示】
【課題を解決するための手段】
【０００７】
本発明の第一の態様は、ＭＢＭＳサービスに基づくリソース・スケジューリング情報の送信方法を提供する。それによれば、端末は常に毎回受信されたＭＢＭＳ情報を正確且つタイムリーにチップ合成できる。前記ＭＢＭＳサービスに基づくリソース・スケジューリング情報の送信方法は、ＭＢＭＳ情報を送信する前に、自セルの前記ＭＢＭＳ情報の反復送信周期を確定し、前記ＭＢＭＳ情報を搬送する隣接セルから送信される当該ＭＢＭＳ情報の反復送信周期の情報を確定し、前記自セルの標識（識別子）と隣接セルの標識及び確定された各セルから送信される当該ＭＢＭＳ情報の反復送信周期の情報を前記自セルの端末に送信する手順を含むことを特徴とする。
【０００８】
本発明の第二の態様は、前記自セルの標識と隣接セルの標識及び各セルに対応する反復送信周期情報のリソース・スケジューリング情報を確定し、自セルの端末に送信するベースステーション・コントローラを提供する。前記ベースステーション・コントローラは、ＭＢＭＳ情報を送信する前に、自セルから送信される前記ＭＢＭＳ情報の反復送信周期の情報と、前記ＭＢＭＳ情報を搬送する隣接セルから送信される当該ＭＢＭＳ情報の反復送信周期の情報を確定する確定モジュールと、前記確定モジュールと接続し、前記自セルの標識と隣接セルの標識及び確定モジュールで確定された各セルから発信される当該ＭＢＭＳ情報の反復送信周期の情報を前記自セルの端末に送信する送信モジュールとを備えたことを特徴とする。
【０００９】
前記ＭＢＭＳサービスに基づくリソース・スケジューリング情報の送信方法及びベースステーション・コントローラの実施例において、自セルの端末にＭＢＭＳ情報を送信する前に、前記自セルの標識と隣接セルの標識及び各セルに対応する前記反復周期の情報を確定して自セルの端末に送信しておく。端末はそれにより、ＭＢＭＳ情報の受信する前に、自セル及び隣接セルのＭＢＭＳ情報の伝送状況に対して予備的に解析できる。そして、ＭＢＭＳ情報を受信すると、便利且つタイムリーなチップ合成を実行できるようにしている。
【００１０】
本発明の第三の態様は、ＭＢＭＳサービスに基づくリソース・スケジューリング情報の受信方法を提供する。それによれば、端末は受信されたリソース・スケジューリング情報により、対応する時間帯で対応する隣接セルのＭＢＭＳ情報に対してチップ合成を実行できる。前記ＭＢＭＳサービスに基づくリソース・スケジューリング情報の受信方法は、端末において、ＭＢＭＳ情報を受信する前に、受信された自セルから発信される前記ＭＢＭＳ情報の反復送信周期に基づき、自セルから送信される前記ＭＢＭＳ情報とチップ合成する時間帯を確定し、受信された隣接セルの標識及び当該隣接セルから発信される前記ＭＢＭＳ情報の反復送信周期の情報に基づき、確定された時間帯で自セルから送信される前記ＭＢＭＳ情報とチップ合成する隣接セルの標識を取得し、確定された時間帯で、取得した隣接セルの標識に対応する隣接セルから送信された前記ＭＢＭＳ情報を自セルから送信された当該ＭＢＭＳ情報とチップ合成する手順を含むことを特徴とする。
【００１１】
本発明の第四の態様は、受信されたリソース・スケジューリング情報により、対応する時間帯で、対応する隣接セルのＭＢＭＳ情報に対してチップ合成を行う端末を提供する。前記端末はＭＢＭＳ情報を受信する前に、自セルから送信される前記ＭＢＭＳ情報の反復送信周期の情報と隣接セルの標識と当該隣接セルから送信される前記ＭＢＭＳ情報の反復送信周期の情報を受信する受信モジュールと、受信モジュールで受信した自セルから送信されるＭＢＭＳ情報の反復送信周期の情報に基づき、自セルから送信される前記ＭＢＭＳとチップ合成する時間帯を確定する確定モジュールと、受信モジュールで受信した隣接セルの標識及び当該隣接セルから送信される前記ＭＢＭＳ情報の反復送信周期の情報に基づき、確定モジュールで確定した時間帯で、自セルから送信される前記ＭＢＭＳ情報とチップ合成する隣接セルの標識を取得するセル標識取得モジュールと、確定モジュールで確定した時間帯で、セル標識取得モジュールで取得した隣接セルの標識に対応する隣接セルから送信される前記ＭＢＭＳ情報を、自セルから送信される前記ＭＢＭＳ情報とチップ合成を行うチップ合成モジュールとを備えたことを特徴とする。
【００１２】
上記ＭＢＭＳサービスに基づくリソース・スケジューリング情報の受信方法及び端末の実施例において、端末は受信されたリソース・スケジューリング情報を解析することにより、自セル及び隣接セルのＭＢＭＳ情報スケジューリング状況に対して予備的に解析できる。更に、連続的にコンバインするか（全てのセルのＭＢＭＳ情報の反復周期の長さが１の場合）、時間帯を分けてコンバインするか（一部のセルのＭＢＭＳ情報の反復周期の長さが１より大きい場合）を決められる。そのため、ＭＢＭＳ情報を受信するたびに、容易且つタイムリーなチップ合成を実現できる。
【００１３】
本発明の第五の態様はＭＢＭＳサービスに基づくリソース・スケジューリング方法を提供し、同一ＭＢＭＳサービスが異なったセルにおいて不連続的にスケジューリングされる場合のチップ合成に対応するようにしている。前記ＭＢＭＳサービスに基づくリソース・スケジューリング方法は、ＭＢＭＳ情報を送信する前に、自セルから送信される前記ＭＢＭＳ情報の反復送信周期の情報を確定し、前記ＭＢＭＳ情報を搬送する隣接セルから送信される当該ＭＢＭＳ情報の反復送信周期の情報を確定し、前記自セルの標識と隣接セルの標識及び確定された各セルから送信される当該ＭＢＭＳ情報の反復送信周期の情報を前記自セルの端末に送信し、前記端末が前記ＭＢＭＳ情報を受信する前に、受信された自セルから送信される前記ＭＢＭＳ情報の反復送信周期に基づき、自セルから送信される前記ＭＢＭＳ情報とチップ合成する時間帯を確定し、受信された隣接セルの標識と当該隣接セルから発信される前記ＭＢＭＳ情報の反復送信周期の情報に基づき、確定された時間帯で自セルから送信される前記ＭＢＭＳ情報とチップ合成する隣接セルの標識を取得し、確定された時間帯で、取得した隣接セルの標識に対応する隣接セルから送信される前記ＭＢＭＳ情報を自セルから送信される当該ＭＢＭＳ情報とプコンバインする手順を含むことを特徴とする。
【００１４】
本発明の第六の態様はＭＢＭＳサービスに基づくリソース・スケジューリング・システムを提供する。それによれば、同一ＭＢＭＳサービスが異なったセルにおいて、不連続的にスケジューリングされる場合のチップ合成に対応できる。前記リソース・スケジューリング・システムはベースステーション・コントローラと端末から構成される。前記ベースステーション・コントローラは、ＭＢＭＳ情報を送信する前に、自セルから送信される前記ＭＢＭＳ情報の反復送信周期の情報と、前記ＭＢＭＳ情報を搬送する隣接セルから送信される当該ＭＢＭＳ情報の反復送信周期の情報を確定する確定モジュールと、前記確定モジュールと接続し、前記自セルの標識と隣接セルの標識と、確定モジュールで確定された各セルから送信される当該ＭＢＭＳ情報の反復送信周期の情報を前記自セルの端末に送信する送信モジュールを備えたことを特徴とする。前記端末は、ＭＢＭＳ情報を受信する前に、自セルから送信される前記ＭＢＭＳ情報の反復送信周期と隣接セルの標識及び当該隣接セルから送信される前記ＭＢＭＳ情報の反復送信周期の情報を受信する受信モジュールと、受信モジュールで受信した自セルから送信されるＭＢＭＳ情報の反復送信周期の情報に基づき、自セルから送信される前記ＭＢＭＳ情報とチップ合成する時間帯を確定する確定モジュールと、受信モジュールで受信した隣接セルの標識と当該隣接セルから送信される前記ＭＢＭＳ情報の反復送信周期の情報に基づき、確定モジュールで確定された時間帯において、自セルから送信される前記ＭＢＭＳ情報とチップ合成する隣接セルの標識を取得するセル標識取得モジュールと、確定モジュールで確定した時間帯で、セル標識取得モジュールで取得した隣接セルの標識に対応する隣接セルから送信される前記ＭＢＭＳ情報を自セルから送信される当該ＭＢＭＳ情報とチップ合成するチップ合成モジュールとを備えたことを特徴とする。
【００１５】
前記ＭＢＭＳサービスに基づくリソース・スケジューリング方法及びシステムの実施例において、自セルと隣接セルから送信される同一ＭＢＭＳ情報の反復送信周期の情報を導入することにより、ベースステーション・コントローラは基地局が自セルの端末にＭＢＭＳ情報を送信する前に、前記自セルの標識と隣接セルの標識及び各セルに対応する前記反復周期の情報を確定して自セルの端末に送信しておく。よって、端末はＭＢＭＳ情報を受信する前に、自セル及び隣接セルのＭＢＭＳ情報の伝送状況に対して予備的に解析できる。更に連続的にコンバインするか（全てのセルのＭＢＭＳ情報の反復周期の長さが１の場合）、時間帯を分けてコンバインするか（一部のセルのＭＢＭＳ情報の反復周期の長さが１より大きい場合）を決められる。そのように、ＭＢＭＳ情報を受信するたびに、正確、便利且つタイムリーなチップ合成を実現できる。
【発明を実施するための最良の形態】
【００１６】
付附属図面と実施例を通じて、本発明の技術実装を詳しく説明する。以下の実施例は全て、前記自セルの標識と隣接セルの標識と各セルから送信されるＭＢＭＳ情報の反復送信周期の情報等のリソース・スケジューリング情報をリソース・スケジューリング・リストに追加して送信する方式を例として説明する。当然、セル標識と反複周期の情報を送信するには、前記自セルの標識と隣接セルの標識と各セルから送信されるＭＢＭＳ情報の反復送信周期の情報等を、標準なプロトコルメッセージや独自なプロトコルメッセージに直接カプセル化して送信する等、他の方式を採用しても良い。即ち、本発明の技術方式において、多様な情報送信方式が可能である。
【００１７】
本発明の実施例はＭＢＭＳサービスに基づくリソース・スケジューリングの方法を提供している。前記リソース・スケジューリングの方法は、図１に示したように、ＭＢＭＳ情報を送信する前に、自セルの前記ＭＢＭＳ情報の反復送信周期と前記ＭＢＭＳ情報を搬送する隣接セルから送信される前記ＭＢＭＳ情報の反復送信周期の情報を確定する手順１と、前記自セルの標識と前記隣接セルの標識と及び確定された各セルから送信される当該ＭＢＭＳ情報の反復送信周期の情報を前記自セルの端末に送信する手順２と（ここでは、前記自セルの標識と前記隣接セルの標識と、各セルから送信されるＭＢＭＳ情報の反復送信周期の情報をリソース・スケジューリング・リストに追加して送信する例を説明する）、前記端末が前記ＭＢＭＳ情報を受信する前に、受信された前記リソース・スケジューリング・リストに基づき、対応する時間帯で対応する隣接セルからの前記ＭＢＭＳ情報に対してチップ合成を行う手順３とを有する。
【００１８】
上記実施例では、自セルと隣接セルから、同一ＭＢＭＳ情報の反復送信周期の情報を送信するメカニズムを導入することにより、前記自セルの標識と隣接セルの標識と各セルに対応する前記反復周期の情報が含まれているリソース・スケジューリング・リストを前記自セルの端末に送信しておく。そして、端末はリソース・スケジューリング・リストにより、対応する時間帯において対応する隣接セルの前記ＭＢＭＳ情報についてチップ合成を行う。上記実施例は、連続的なチップ合成にしか対応していない現存技術を拡張したものであり、各セルにおいて、同一ＭＢＭＳサービスが連続的にスケジューリングされる場合（全てのセルのＭＢＭＳ情報の反複周期の長さが１の時）のチップ合成と、不連続的にスケジューリングされる場合（一部のセルのＭＢＭＳ情報の反複周期の長さが１より大きい時）のチップ合成の両方にも対応するようにしている。
【００１９】
前記手順３は、図２に示したように、前記端末はリソース・スケジューリング・リストを解析し、前記ＭＢＭＳ情報を自セルとチップ合成する時間帯と当該時間帯に対応する隣接セルの標識を確定する手順３１と、端末が対応する時間帯において、対応する隣接セルの前記ＭＢＭＳ情報について、チップ合成を行う手順３２とを有する。
【００２０】
異なる隣接セルは、同一ＭＢＭＳサービスに対するリソース・スケジューリング要求が同じではないので、ＭＢＭＳ情報に対する搬送状況も同じではない。例えばＭＢＭＳ情報をある百貨店のショッピング情報とする。セル１を前記百貨店が位置する自セルとし、セル２を前記百貨店の近くにある隣接セルとし、セル３を前記百貨店の近くにあるもう一つの隣接セルとし、セル４を前記百貨店の遠くにあるセルとする。異なる隣接セルは同一ＭＢＭＳサービスに対するリソース・スケジューリング要求が同じではないため、前記メッセージが再度送出されるまで、搬送状況が既に変化したかもしれない。例えば、ある百貨店のショッピング情報のＭＢＭＳ情報について、百貨店が位置しているセル１（自セル）の前記ＭＢＭＳ情報のスケジューリング周期は非常に短くされても良い。店内の携帯ユーザは頻繁にショッピング情報を受信してもあまり抵抗感が感じられない。しかし、百貨店周辺のセル（隣接セル）については、前記ＭＢＭＳ情報の反復周期（スケジューリング周期）を長く設定する必要がある。そうしないと、携帯ユーザは広告主体のショッピング情報を頻繁に受信してしまい、容易に抵抗感を感じさせてしまう。
【００２１】
反復送信周期の情報には反複周期の長さが含まれる。以下はセル１―セル４を例として、長さが同じでない場合の、時間帯別のチップ合成の流れを説明する。図３で示したように、リソース・スケジューリング・リストにセルの標識と各セルに対応する前記反復周期の長さが含まれている。その中に、網掛けの部分はＭＢＭＳ情報送信の時間帯を表示する。
【００２２】
セル１の、反復周期の長さは１である。
セル２の、反復周期の長さは２である。
セル３の、反復周期の長さは２である。
セル４の、反復周期の長さは４である。
【００２３】
反復周期はＭＢＭＳ情報がスケジューリングされる頻度を反映する。その中で、セル１のスケジューリング頻度が一番高く、セル２とセル３のスケジューリング頻度はその次で、セル４のスケジューリング頻度が一番低い。
【００２４】
図３で分かるように、セル１―セル４の中には、ＭＢＭＳ情報的反復周期の長さが１より大きいものがある。その場合、セル１にある端末は図３で示したようなリソース・スケジューリング・リストを解析し、前記ＭＢＭＳ情報に基づき、セル１とチップ合成する時間帯と当該時間帯に対応する隣接セルの標識を確定する。端末はリソース・スケジューリング・リストを解析する手順を次に記述する。
【００２５】
（１）セル１とチップ合成する時間帯は無線フレーム１，５，９の時間帯で、それらの時間帯に対応する隣接セルはセル２、３、４であることを確定する。端末は無線フレーム１，５，９の時間帯でセル２、３、４を検出し、セル２、３、４と４セルのチップ合成を行う。即ち、端末は自セルとセル２、３、４における当該ＭＢＭＳサービスを搬送するＳ−ＣＣＰＣＨ内のＭＢＭＳ情報を受信できる。
【００２６】
（２）セル１とチップ合成する時間帯は無線フレーム３，７の時間帯で、それらの時間帯に対応する隣接セルはセル２、３であることを確定する。端末は無線フレーム３，７の時間帯でセル２、３を検出し、セル２、３と３セルのチップ合成を行う。即ち、端末は自セルとセル２、３における当該ＭＢＭＳサービスを搬送するＳ−ＣＣＰＣＨ内のＭＢＭＳ情報を受信できる。
【００２７】
ＭＢＭＳ情報の実際の伝送では、個々の周期に一定のオフセットが存在可能である。個々の周期のオフセットはＭＢＭＳサービスの一つの反復周期長さ（スケジューリング周期）内の位置を反映する。個々の周期のオフセットはチップ合成の結果を影響でき、値の設定範囲は［０，反復周期長さ−１］である。セル２とセル３の反復周期の長さは同じ２であるが、当該反復周期長さ内の位置が同じではない。個々のシングル周期のオフセットが１であるセル３を例として、図４で示したリソース・スケジューリング・リストに、セル標識と各セルに対応する前記反復周期の長さとシングル周期のオフセットが含まれる。
【００２８】
セル１の反復周期の長さは１で、個々の周期のオフセットは０である。
セル２の反復周期の長さは２で、個々の周期のオフセットは０である。
セル３の反復周期の長さは２で、個々の周期のオフセットは１である。
セル４の反復周期の長さは４で、個々の周期のオフセットは０である。
【００２９】
図４からわかるように、１から４までのセルには、ＭＢＭＳ情報の反復周期の長さが１より大きいものが存在している。その場合、セル１に位置している端末は図４で示したリソース・スケジューリング・リストを解析し、前記ＭＢＭＳ情報に対してセル１とチップ合成する時間帯及び当該時間帯に対応する隣接セルの標識を確定する。端末におけるリソース・スケジューリング・リストの解析手順を以下に記述する。
【００３０】
（１）セル１とチップ合成する時間帯は無線フレーム３，７の時間帯で、それらの時間帯に対応する隣接セルはセル２であることを確定する。端末は無線フレーム３，７の時間帯でセル２を検出し、セル２と２セルのチップ合成を行う。即ち、端末は自セルとセル２における当該ＭＢＭＳサービスを搬送するＳ−ＣＣＰＣＨ内のＭＢＭＳ情報を受信できる。
【００３１】
（２）セル１とチップ合成する時間帯は無線フレーム２，４，６，８，１０の時間帯で、それらの時間帯に対応する隣接セルはセル３であることを確定する。端末は無線フレーム２，４，６，８，１０の時間帯で、セル３を検出し、セル３と２セルのチップ合成を行う。即ち、端末は自セルとセル３における当該ＭＢＭＳサービスを搬送するＳ−ＣＣＰＣＨ内のＭＢＭＳ情報を受信できる。
【００３２】
（３）セル１とチップ合成する時間帯は無線フレーム１，５，９の時間帯で、それらの時間帯に対応する隣接セルはセル２とセル４であることを確定する。端末は無線フレーム１，５，９の時間帯でセル２，４を検出し、セル２、４と３セルのチップ合成を行う。即ち、端末は自セルとセル２とセル４における当該ＭＢＭＳサービスを搬送するＳ−ＣＣＰＣＨ内のＭＢＭＳ情報を受信できる。
【００３３】
前記ＭＢＭＳサービスに基づくリソース・スケジューリング方法の実施例では、自セルと隣接セルから、同一ＭＢＭＳ情報の反復送信周期の情報を送信するメカニズムを導入することにより、前記自セルの標識と隣接セルの標識と各セルに対応する前記反復周期の情報が含まれているリソース・スケジューリング・リストを前記自セルの端末に送信しておく。端末はリソース・スケジューリング・リストにより、対応する時間帯において対応する隣接セルの前記ＭＢＭＳ情報についてチップ合成を行う。よって、連続的なチップ合成にしか対応しない現存技術を拡張し、各セルにおいて、同一ＭＢＭＳサービスが連続的にスケジューリングされる場合（全てのセルのＭＢＭＳ情報の反複周期の長さが１の時）のチップ合成と、不連続的にスケジューリングされる場合（一部のセルのＭＢＭＳ情報の反複周期の長さが１より大きい時）のチップ合成の両方に対応するようにしている。同時に、同じＭＢＭＳサービスを搬送する複数な隣接セルは連続的にＭＢＭＳサービスを送信する必要がなくなり、送信間隔で他のサービスも発送できるようになり、リソースの利用率を向上させた。
【００３４】
本発明の実施例はベースステーション・コントローラを提供している。当該ベースステーション・コントローラは、基地局に隣接するセル、即ち、隣接セルのリソース・スケジューリング情報を取得できる。当該ベースステーション・コントローラは、ＭＢＭＳ情報を送信する前に、自セルから送信される前記ＭＢＭＳ情報の反復送信周期と前記ＭＢＭＳ情報を搬送する隣接セルから送信される当該ＭＢＭＳ情報の反復送信周期の情報を確定する確定モジュールと、前記確定モジュールと接続し、前記自セルの標識と隣接セルの標識と確定モジュールで確定された各セルから送信される当該ＭＢＭＳ情報の反復送信周期の情報を前記自セルの端末に送信する送信モジュールとを備えたことを特徴とする。
【００３５】
前記送信モジュールには、前記自セルの標識と前記隣接セルの標識と確定モジュールで確定された各セルから送信される当該ＭＢＭＳ情報の反復送信周期の情報をリソース・スケジューリング・リストに追加する追加ユニットと、前記リソース・スケジューリング・リストを前記自セルの端末に送信する送信ユニットとを備えたことを特徴とする。
【００３６】
ベースステーション・コントローラはラジオ・ネットワーク・コントローラ（Ｒａｄｉｏ  Ｎｅｔｗｏｒｋ  Ｃｏｎｔｒｏｌｌｅｒ，  ＲＮＣと略称する）を例として、本発明において自セルのベースステーション・コントローラが隣接セルのリソース・スケジューリング情報を自セル端末に送信する流れを説明する。ＲＮＣはＭＣＣＨチャンネルにより送信される「ＭＢＭＳ  Ｎｅｉｇｈｂｏｕｒｉｎｇ  Ｃｅｌｌ  ｐ−ｔ−ｍ  ｒｂ  Ｉｎｆｏｒｍａｔｉｏｎ」のメッセージに、各隣接セルのリソース・スケジューリング情報、即ち、ＭＢＭＳ情報の反復送信周期の長さや個々の周期のオフセットが含まれる反復送信周期の情報を追加する。具体的には「ＭＢＭＳ  Ｎｅｉｇｈｂｏｕｒｉｎｇ  Ｃｅｌｌ  ｐ−ｔ−ｍ  ｒｂ  Ｉｎｆｏｒｍａｔｉｏｎ」内の  ＴＤＤフィールドにフィールドを追加・拡張し、反復周期長さのＲｅｐｅｔｉｔｉｏｎ  ｐｅｒｉｏｄや個々の周期のオフセットを表示する。拡張フィールドは下表に示す。
【表１】
0004688906.tif 000002
本発明の実施例は受信モジュールと確定モジュールとセル標識取得モジュールとチップ合成モジュールから構成される端末を提供している。
【００３７】
前記端末は、ＭＢＭＳ情報を受信する前に、自セルから送信される前記ＭＢＭＳ情報の反復送信周期と隣接セルの標識及び隣接セルから送信される前記ＭＢＭＳ情報の反復送信周期の情報を受信する受信モジュールと、受信モジュールにより受信した自セルから送信されるＭＢＭＳ情報の反復送信周期の情報に基づき、自セルから送信される前記ＭＢＭＳ情報とチップ合成する時間帯を確定する確定モジュールと、受信モジュールで受信した隣接セルの標識と前記隣接セルから送信される前記ＭＢＭＳ情報の反復送信周期の情報に基づき、確定モジュールで確定された時間帯において、自セルから送信される前記ＭＢＭＳ情報とチップ合成する隣接セルの標識を取得するセル標識取得モジュールと、確定モジュールで確定した時間帯で、セル標識取得モジュールで取得した隣接セルの標識に対応する隣接セルから送信される前記ＭＢＭＳ情報を自セルから送信される前記ＭＢＭＳ情報とチップ合成するチップ合成モジュールとを備えたことを特徴とする。
【００３８】
自セルの端末はあるＭＢＭＳサービスのチップ合成に関するリソース・スケジューリング情報、即ちリソース・スケジューリング・リストを受信すると、当該ＭＢＭＳサービスに対して連続なチップ合成或いは不連続なチップ合成を行う。端末はＭＣＣＨチャネルで「ＭＢＭＳ  Ｎｅｉｇｈｂｏｕｒｉｎｇ  Ｃｅｌｌ  ｐ−ｔ−ｍ  ｒｂ  Ｉｎｆｏｒｍａｔｉｏｎ」メッセージを受信する。あるＭＢＭＳサービスに関心を持った場合、当該端末は、自セルと複数の隣接セルで設定されている当該ＭＢＭＳサービスを搬送するＳ−ＣＣＰＣＨのスケジューリング情報により、指定された時間帯で、Ｓ−ＣＣＰＣＨに対してチップ合成を行い、指定時間帯のＭＢＭＳサービスのチップ合成を実施する。
【００３９】
本発明の実施例はまた、図５で示したように、ベースステーション・コントローラ１００と端末２００が含まれる、ＭＢＭＳサービスに基づくリソース・スケジューリング・システムも提供している。
【００４０】
ベースステーション・コントローラ１００は、ＭＢＭＳ情報を送信する前に、自セルから送信される前記ＭＢＭＳ情報の反復送信周期の情報と前記ＭＢＭＳ情報を搬送する隣接セルから送信される当該ＭＢＭＳ情報の反復送信周期の情報を確定する確定モジュール１１０と、前記確定モジュール１１０に接続し、前記自セルの標識と隣接セルの標識及び確定モジュール１１０で確定された各セルから送信される当該ＭＢＭＳ情報の反復送信周期の情報を前記自セルの端末に送信する送信モジュール１２０とを備えたことを特徴とする。
【００４１】
端末２００は、ＭＢＭＳ情報を受信する前に、自セルから送信される前記ＭＢＭＳ情報の反復送信周期と隣接セルの標識及び当該隣接セルから送信される前記ＭＢＭＳ情報の反復送信周期の情報を受信する受信モジュール２１０と、受信モジュール２１０で受信した自セルから送信されるＭＢＭＳ情報の反復送信周期の情報に基づき、自セルから送信される前記ＭＢＭＳ情報とチップ合成する時間帯を確定する確定モジュール２２０と、受信モジュール２１０で受信した隣接セルの標識と当該隣接セルから送信される前記ＭＢＭＳ情報の反復送信周期の情報に基づき、確定モジュール２２０で確定された時間帯で、自セルから送信される前記ＭＢＭＳ情報とチップ合成する隣接セルの標識を取得するセル標識取得モジュール２３０と、確定モジュール２２０で確定した時間帯で、セル標識取得モジュール２３０で取得した隣接セルの標識に対応する隣接セルから送信される前記ＭＢＭＳ情報を、自セルから送信される前記ＭＢＭＳ情報とチップ合成するチップ合成モジュール２４０とを備えたことを特徴とする。
【００４２】
本発明の実施例は、異なるセルにおいて、ＭＢＭＳチップ合成に対するリソース・スケジューリングを実現している。その中、チップ合成技術には、結合（ジョイント）検出機能をサポートする端末が必要である。現在のＴＤ−ＳＣＤＭＡシステムは結合検出技術に対応している。本発明の実施例に記述されているチップ合成技術はＴＤ−ＳＣＤＭＡシステムだけに限られず、結合検出技術が導入される今後のＷＣＤＭＡシステムの関連環境にも同様に対応できる、ということを本領域の技術者に理解していただきたい。
【００４３】
最後に、上記実施例は本発明の技術実装の説明だけに用いられており、技術上の制限を意図するものではない。本領域の一般技術者は上記前述技術案を改造、或いは一部の技術要素を置き換えることができる。そのような改造と置き換えは本案各実施例の技術案の範囲外とは見なされない。
【図面の簡単な説明】
【００４４】
【図１】本発明のＭＢＭＳサービスに基づくリソース・スケジューリング方法の第１の実施例のフロー図である。
【図２】本発明のＭＢＭＳサービスに基づくリソース・スケジューリング方法の第２の実施例のフロー図である。
【図３】リソース・スケジューリング・リストの一例のイメージ図である。
【図４】リソース・スケジューリング・リストの別の例のイメージ図である。
【図５】本発明のＭＢＭＳサービスに基づくリソース・スケジューリング・システム実施例の構成図である。
【図１】
0004688906.tif 000003
【図２】
0004688906.tif 000004
【図３】
0004688906.tif 000005
【図４】
0004688906.tif 000006
【図５】
0004688906.tif 000007